(57)【要約】【課題】  倒立側顕微鏡の高さ寸法を抑える設計を行ったとしても、ステージから透過照明ユニットを合理的に遠ざけ、また、付随する問題の発生を極力少なくする。【解決手段】  ステージ１３の回りは標本カバー３によって遮光され、標本カバー３はその下に位置する下部カバー４に沿って下方に変位することによりステージ１３回りを開放することができる。ステージ１３の上方には、横向きに配置した光源１５を収容した透過照明ハウジング６１と、これに関連した透過照明光学ユニット６４とが設けられ、このユニット６４は、横方向に延びるピボット軸６２を介して透過照明ハウジング６１に組み付けられており、透過照明光学ユニット６４は、斜めに傾斜した跳ね上げ位置を取ることができる。【選択図】  図１４
2006162764.tif 000002
【特許請求の範囲】
【請求項１】
横向きに透過照明光を出射する光源と、該光源が出射した透過照明光を下方に差し向ける傾斜ミラー、コンデンサレンズとを含む透過照明系からステージ上の標本に上方から透過照明を照射する倒立型顕微鏡であって、
前記倒立型顕微鏡の本体に対して、前記傾斜ミラーと前記コンデンサレンズとを含む透過照明光学ユニットが揺動可能に設けられ、
該透過照明光学ユニットが揺動することにより、前記ステージの上方に位置する正規位置と、前記ステージから遠ざかる退避位置とを取ることを特徴とする倒立型顕微鏡。
【請求項２】
横向きに透過照明光を出射する光源と、該光源が出射した透過照明光を下方に差し向ける傾斜ミラー、コンデンサレンズとを含む透過照明系からステージ上の標本に上方から透過照明を照射する倒立型顕微鏡であって、
前記倒立型顕微鏡の本体に対して、前記傾斜ミラーと前記コンデンサレンズとを含む透過照明光学ユニットが横方向又は上方向に変位可能に設けられ、
該透過照明光学ユニットが横方向又は上方向に変位することにより、前記ステージの上方に位置する正規位置と、前記ステージから遠ざかる退避位置とを取ることを特徴とする倒立型顕微鏡。
【請求項３】
横向きに透過照明光を出射する光源と、該光源が出射した横方向の透過照明光を下方に差し向ける傾斜ミラー、コンデンサレンズとを含む透過照明ユニットを含み、透過照明光をステージ上の標本に上方から透過照明を照射する倒立型顕微鏡であって、
前記透過照明ユニットが、前記光源を収容する透過照明ハウジングと、該透過照明ハウジングの前端に水平軸を介して揺動可能に取り付けられ且つ前記傾斜ミラー及びコンデンサレンズを組み込んだ透過照明光学ユニットとで構成され、該透過照明光学ユニットが前記ステージ上の標本に向けて透過照明光を照射する正規位置と、該正規位置から上方に回動した退避位置とを取ることを特徴とする倒立型顕微鏡。
【請求項４】
前記倒立型顕微鏡が、前記ステージ上の標本に向けて下方から励起光を照射する落射照明系を有する蛍光顕微鏡であり、
該倒立型蛍光顕微鏡が、前記ステージの回りを遮光するための開閉可能な標本カバーを更に有する、請求項３に記載の倒立型顕微鏡。
【請求項５】
前記標本カバーが下方に向けて変位可能であり、該標本カバーが、前記ステージ回りを遮光する正規位置から下方に変位することにより前記ステージ回りを開放する、請求項４に記載の倒立顕微鏡。
【請求項６】
前記倒立型蛍光顕微鏡が、前記標本カバーの下に位置する下部カバーを有し、前記標本カバーが前記下部カバーに沿って下方に変位して前記ステージ回りを開放したときに、前記標本カバーが前記下部カバーの前方且つこれに隣接して下部カバーと重なり合った状態となる、請求項５に記載の倒立型顕微鏡。
【発明の詳細な説明】
【技術分野】
【０００１】
この発明は倒立型顕微鏡に関する。
【背景技術】
【０００２】
顕微鏡には、ステージの上方に対物レンズを配設した正立型と、対物レンズをステージの下方に配設した倒立型との２種類に大別される。倒立型の顕微鏡では、特許文献１、２に開示のように、ステージ上に載置された標本をステージの下方から観察が行われる。このため、倒立型では、透過照明系ユニットがステージの上方に配設され、ステージ上の標本には、上から光が照射される。そして、透過照明光によって得られた標本の像は、ステージの下方に配設された対物レンズなどを通じて観察される。
【０００３】
このような倒立型顕微鏡では、標本を入れたプレパラートやシャーレをステージに乗せて位置決めしたり、ステージの下の対物レンズを交換するときに、ステージ上方の透過照明ユニットが邪魔になるため、特許文献１、２は、透過照明系ユニットをステージ上方から退却させる技術を開示している。具体的には、特許文献１、２は、透過照明系ユニットを支持する支柱を上下に２分割にし、下側支柱に対して上側支柱を傾倒させることにより透過照明ユニットをステージから遠ざけることを提案している。
【特許文献１】特開平９−２１１３３６号公報
【特許文献２】特開平１０−２６８２０８号公報
【発明の開示】
【発明が解決しようとする課題】
【０００４】
特許文献１、２のように、支柱の上下方向中間部分を中心に上側支柱を傾倒させることは、これに伴って透過照明ユニットを確かにステージの上方域から退却させることが可能である。しかし、顕微鏡の高さ寸法が小さい場合には、支柱の長さ寸法が小さくなるため、上側支柱が傾倒する角度を大きく設定することが必要となるが、透過照明ユニットは比較的重量物であることから、上側支柱を大きく揺動させることに伴う透過照明ユニットの重心位置の大きな変位を担うには、ピボット軸を含む回転機構や下側支柱を堅牢に構成する必要があり、これに伴って蛍光顕微鏡の重量などが増大する等の付随した問題が発生してしまう。
【０００５】
そこで、本発明の目的は、倒立側顕微鏡の高さ寸法を抑える設計を行ったとしても、ステージから透過照明ユニットを合理的に遠ざけることができ、また、付随する問題の発生を極力少なくすることのできる倒立型顕微鏡を提供することにある。
【課題を解決するための手段】
【０００６】
上記の技術的課題は、本発明によれば、
横向きに透過照明光を出射する光源と、該光源が出射した透過照明光を下方に差し向ける傾斜ミラー、コンデンサレンズとを含む透過照明系からステージ上の標本に上方から透過照明を照射する倒立型顕微鏡であって、
前記倒立型顕微鏡の本体に対して、前記傾斜ミラーと前記コンデンサレンズとを含む透過照明光学ユニットが揺動可能に設けられ、
該透過照明光学ユニットが揺動することにより、前記ステージの上方に位置する正規位置と、前記ステージから遠ざかる退避位置とを取ることを特徴とする倒立型顕微鏡を提供することにより達成することができる。
【０００７】
本発明の倒立型顕微鏡によれば、従来のように支柱を２分割にして上側支柱を揺動させることにより透過照明系をステージから遠ざけるのとは異なり、透過照明系の光源を横向きに配置し、そして、傾斜ミラーとコンデンサレンズとを含む光学要素をユニット化した透過照明光学ユニットを用意して、これを顕微鏡本体に対して揺動させることで、正規位置と退避位置とを取らせるようにしてあるため、倒立側顕微鏡の高さ寸法を抑える設計を行ったとしても、付随する問題無しにステージから透過照明ユニットを合理的に遠ざけることができる。
【０００８】
本発明の好ましい実施の形態では、横向きに透過照明光を出射する光源と、該光源が出射した透過照明光を下方に差し向ける傾斜ミラー、コンデンサレンズとを含む透過照明ユニットを用意し、この透過照明ユニットを、前記光源を収容する透過照明ハウジングと、該透過照明ハウジングの前端に水平軸を介して揺動可能に取り付けられ且つ前記傾斜ミラー及びコンデンサレンズを組み込んだ透過照明光学ユニットとで構成して、透過照明光学ユニットが前記ステージ上の標本に向けて透過照明光を照射する正規位置と、該正規位置から上方に回動した退避位置とを取ることができる。このように、透過照明系のユニットを、透過照明ハウジングと透過照明光学ユニットとで構成して、透過照明光学ユニットを透過照明ハウジングに対して揺動可能に組み付けてあることから、倒立型顕微鏡を長期に亘って使用しても、透過照明系の光軸のズレの発生を抑制することができる。
【０００９】
また、本発明の好ましい実施の形態では、本発明は倒立型蛍光顕微鏡に適用され、この蛍光顕微鏡では、ステージの回りを遮光するための標本カバーを有する。この標本カバーは、ステージ回りを遮光する吊り下げカーテンや、両側縁を顕微鏡本体にヒンジ止めした観音開き式のカバー、一方の側縁を顕微鏡本体にヒンジ止めした片開き式のカバー、透過照明ユニットに固設又はヒンジ止めされ且つ透過照明ユニットを一緒に上方に移動可能なカバーなどで構成してもよいが、好ましい実施の形態では、該標本カバーが下方に変位するようになっている。ステージへの標本の出し入れの作業の際に、標本カバーを下方に変位させてステージ回りを開放すると共に、透過照明光学ユニットを上方に変位させることで、ユーザの作業空間を大幅に拡大することができる。
【００１０】
また、好ましい実施の形態の倒立型蛍光顕微鏡では、標本カバーの下に位置する下部カバーを有し、標本カバーが下部カバーに沿って下方に変位してステージ回りを開放したときに、標本カバーが下部カバーの前方且つこれに隣接して下部カバーと重なり合った状態となる。この好ましい実施の形態によれば、蛍光顕微鏡を正面から見たときの外観が意匠性に優れたものになり、コンパクトでありながら見栄えに優れた蛍光顕微鏡となるだけでなく、ステージ回りを開放したときに標本カバーが蛍光顕微鏡の側方に突出しないことから、蛍光顕微鏡の事実上の占有面積を標本カバーによって拡大してしまう問題の発生を回避することができる。
【００１１】
本発明の変形例として、前記倒立型顕微鏡の本体に対して、前記傾斜ミラーと前記コンデンサレンズとを含む透過照明光学ユニットを横方向又は上方向に変位可能に設け、該透過照明光学ユニットを横方向又は上方向に変位させることにより、透過照明光学ユニットが、前記ステージの上方に位置する正規位置と、前記ステージから遠ざかる退避位置とを取るようにしてもよい。
【発明を実施するための最良の形態】
【００１２】
図１は、倒立型蛍光顕微鏡の外観を示す斜視図である。図１において、倒立型蛍光顕微鏡１は、本体ケース２の前面に標本カバー３を有し、この標本カバー３は、その下の本体ケース２の一部を実質的に構成する下部カバー４に沿って下方に変位することができ、これにより標本の出し入れを行うことができる。そして、標本カバー３を図１の状態つまり閉じた状態にすることにより、遮光した状態で蛍光観察を行うことができる。本体ケース２、標本カバー３、下部カバー３は金属又はプラスチック材料を成形したプレート部材によって作られている。
【００１３】
倒立型蛍光顕微鏡１は、本体ケース２の内部に、明視野透過照明系、落射照明系、撮像系の他に、電源ユニット、電源基板、コントローラなどが搭載されている。倒立型蛍光顕微鏡１は、パーソナルコンピュータＰＣを介してモニタ６に接続することで、キーボード７、マウス８を用いてユーザが各種の操作や設定を行うことができる。
【００１４】
図３は、蛍光顕微鏡１に含まれる明視野透過照明系、落射照明系、撮像系の全体構成を示す。図３において、参照符号１０は明視野透過照明系を示し、１１は落射照明系を示し、１２は撮像系を示す。明視野透過照明系１０は、ステージ１３の高さ位置よりも上レベルに配置され、落射照明系１１及び撮像系１２は、ステージ１３の高さ位置よりも下レベルに配置されている。
【００１５】
透過光による観察を行うのに用いられる明視野透過照明系１０は、光源として典型的にはハロゲンランプからなる透過照明用ランプ１５を有し、当業者であれば真っ先に注目するであろうが、ハロゲンランプ１５は水平方向に向けて配置されている。このハロゲンランプ１５から出射された光１６は、傾斜ミラー１７によって垂直方向下方に差し向けられ、コンデンサレンズ（図示せず）を通ってステージ１３上の標本Ｓを照射する。
【００１６】
蛍光による観察を行うのに用いられる落射照明系１１は、典型的には水銀ランプからなる落射照明用ランプ２０を有し、水銀ランプ２０は水平方向に向けて配置されている。この水銀ランプ２０から出射された光は、熱吸収フィルタ部２１、コレクタレンズを通り、次いで励起フィルタを透過して特定の短い波長帯域の励起光とされた後に、傾斜したダイクロイックミラーによって標本Ｓに向けて垂直方向上方に差し向けられ、対物レンズ２８を通って標本Ｓを下方から照射する。
【００１７】
上記の励起フィルタ及びダイクロイックミラーはフィルタカセット２２に組み込まれており、図３の例では、４種類の特性の異なるフィルタカセット２２が水平方向に直線的に互いに隣接して配置されている。すなわち、フィルタカセット２２の選択は直動式であり、複数のフィルタカセット２２から任意のフィルタカセット２２を選択するには、ユーザが操作ダイアル２３を回転させることによりラックアンドピニオンギヤ２４によってフィルタカセット２２をガイドレール２５に沿って直線的に変位させることにより行われる。この動作は、操作ダイアル２３に代えて電動モータを用いてもよい。
【００１８】
図１の蛍光顕微鏡１は、上記の直動式に代えて、図４に示す回転式が採用されている。回転式のフィルタカセットシステムは、４つの特性の異なるフィルタカセット２２を脱着可能に搭載する水平円板２６を有し、この水平円板２６には、フィルタカセット２２が互いに等間隔（９０°間隔）に配置される。水平円板２６は、これに関連した電動モータにより垂直軸２７を中心に回転駆動される。水平円板２６を回転させることにより所望の特性のフィルタカセット２２を選択することができる。変形例として、水平円板２６を、図４で説明した操作ダイアル２３のように手動で回転させるようにしてもよい。
【００１９】
図３に戻って、対物レンズ２８の上方に隣接して配設されたステージ１３は、光軸を横切るＸ、Ｙ軸方向に個別に移動して、上下方向に関しては定置した状態で対物レンズ２８をＺ軸方向に上下方向に移動させることによりステージ１３と対物レンズ２８との相対的な位置の調整が可能であり、また、ステージ１３を、Ｘ、Ｙ軸方向に加えて、Ｚ軸方向に独立して移動させて、これにより対物レンズ２８との相対的な距離を調整することができる。このようなステージ１３と対物レンズ２８の相対的な位置調整は手動であってもよいが、この実施例では、後に説明する電動モータにより行われる。
【００２０】
撮像系１２は、フィルタカセット２２の真下に配置された撮像用ミラー３０と、この撮像用ミラー３０に臨んで水平方向に延びる撮像筒３１と、撮像筒３１の端に取り付けられた撮像装置３２（例えばＣＣＤカメラ）とを含む。
【００２１】
ステージ１３の下方領域で、共に水平方向に延びる落射照明系１１と撮像系１２とは、平面視したときに、落射照明系１１の水平軸線Ｌ１と撮像系１２の水平軸線Ｌ２とが角度θ０の挟み角でＶ字状に配置されており、従って、図４から最も良く理解できるように、水銀ランプ２０とＣＣＤカメラ３２は、上から見たときに、左右にオフセットした状態で配置されている。
【００２２】
このように、共に水平方向に延びる落射照明系１１と撮像系１２とをＶ字配置することにより、水銀ランプ２０とＣＣＤカメラ３２とが互いに左右にオフセットして配設されることから、共に比較的大きな水銀ランプ２０とＣＣＤカメラ３２と間の干渉を考慮に入れることなく、落射照明系１１と、その下方に位置する撮像系１２との間の上下間隔を可能な限り小さく設定して、蛍光顕微鏡１の高さ寸法を小さくすることができる。換言すれば、水銀ランプ２０とＣＣＤカメラ３２とを同一垂直面内に上下に配置した場合には、落射照明系１１と撮像系１２との間の間隔は、水銀ランプ２０とＣＣＤカメラ３２との干渉により制限を受けてしまう。
【００２３】
実施例のように、共に水平方向に延びる落射照明系１１と撮像系１２とをＶ字配置して、落射照明系１１と、その下方に位置する撮像系１２との間の間隔を可能な限り小さく設定したときには、フィルタカセット２２と撮像用ミラー３０との間の距離も小さくなることから、これにより撮像筒３１の長さ寸法も小さくすることができる。
【００２４】
この点について図５を参照して詳しく説明すると、図５の参照符号Ａは、対物レンズ２８と撮像用ミラー３０との間の距離を示し、参照符号Ｂは、撮像用ミラー３０とＣＣＤカメラ３２のＣＣＤ受光面との間の距離を示す。対物レンズ１０から撮像用ミラー３０の間は拡散系であり、撮像用ミラー３０からＣＣＤカメラ３２の間は集光系である。拡散系における光の広がり角度θ１と、集光系における光の集光角度θ２は等しい。したがって、距離Ａが短ければ短いだけ、距離Ｂの長さも小さくなることから、撮像筒３１の長さ寸法を小さくすることができる。
【００２５】
透過照明系１０と落射照明系１１とは選択的に用いられる。透過照明系１０が選択されたときには、水平方向に向けて配置されたハロゲンランプ１５が出射した透過照明光１６は傾斜ミラー１７で反射されて標本Ｓを上から照明し、この透過照明光１６によって得られた標本Ｓの像は、対物レンズ２８、フィルタカセット２２のダイクロイックミラー、吸収フィルタ、撮像用ミラー３０、などを通って、水平方向に向けて配置されたＣＣＤカメラ３２に取り込まれる。
【００２６】
他方、落射照明系１１が選択されたときには、水平方向に向けて配置された水銀ランプ２０が出射した光は、熱吸収フィルタ、コレクタレンズ、フィルタカセット２２の励起フィルタ及びダイクロイックミラーを通り、対物レンズ２８を通って標本Ｓを下方から励起光を照射する。前処理により標本Ｓに含ませた蛍光物質は励起光を受けて蛍光を放射する。この蛍光による像は、対物レンズ２８、ダイクロイックミラー、吸収フィルタなどを経てＣＣＤカメラ３２に取り込まれる。
【００２７】
図１の蛍光顕微鏡１は、その骨格として、図６に示すシャーシ３５を有し、シャーシ３５は上側シャーシ３６と下側シャーシ３７との２分割構造を有する。上側シャーシ３６及び下側シャーシ３７は共に軽量且つ熱膨張率が比較的小さいアルミニウム合金のダイキャスト品又は鋳物品ある。図７を参照して、上側シャーシ３６には透過照明系１０が配設され、下側シャーシ３７には、落射照明系１１及び撮像系１２が配設される。また、シャーシ３５の内部には、コントローラ、電源基板などの各種の基板の他に、透過照明系１０の一方の側部と、透過照明系１０と落射照明系１１との間に各種の電源ユニットが搭載される。シャーシ３５の後面には、複数（実施例では３つの）の電動ファンユニット３８が上下に並んで取り付けられている。シャーシ３５の内部で発生する熱、例えば、大量の熱を発生するハロゲンランプ１５、水銀ランプ２０、各種の電源ユニット、モータ等から出る熱は、シャーシ３５の後方から外部に強制的に排出される。
【００２８】
図６に見られるように、シャーシ３５の側壁には数多くの開口３５ａが形成されている。これらの開口３５ａは、軽量化のため、部品の組み付けのためであり、また、後の説明から分かるように外気導入のために設けられている。
【００２９】
図８は、シャーシ３５に組み込まれる部品の一部を示す。図８において、参照符号４０は、落射照明系１１の水銀ランプ２０に電源を供給するための電源ユニットであり、４１は、蛍光顕微鏡１に組み込まれたモータなどのシステムを制御するための電源を供給する電源ユニットであり、４２は、透過照明系１０のハロゲンランプ１５に電源を供給するための電源ユニットであり、４３は、蛍光顕微鏡１に組み込まれた各種のモータを駆動するためのモータ駆動回路基板である。モータ駆動回路基板４３は、例えばステージ１３をＸ、Ｙ軸方向に駆動するためのモータ４５、撮像系１２の電動ズーム機構を駆動するためのモータ（図示せず）、水銀ランプ２０の絞りを駆動するためのモータ（図示せず）などを制御する。なお、ステージ１３のＸ、Ｙ軸方向の位置調整のためのモータ４５に隣接してステージ１３のＺ軸方向の位置調整のためのモータが共通のモータ基台４６に搭載されているが、図８ではカバー４７で覆われているために図面には現れていない。
【００３０】
図８から理解できるように、ステージ１３、これを駆動するモータ４５、対物レンズ２８はユニット化され、このユニットは下側シャーシ３７に組み付けられる。
【００３１】
図９は、前述した回転式のフィルタカセットシステムを示す。水平円板２６の中心垂直軸２７はベースプレート５０に組み付けられている。水平円板２６の周面には円形リング歯車５１が取付けらており、この円形リング歯車５１と噛み合う駆動歯車５２はベースプレート５０に固設されたモータ５３によって駆動される。図８のモータ駆動回路基板４３によってモータ５３が回転制御されることにより、所望のフィルタカセット２２が所定の位置に位置決めされ、水銀ランプ２０から出射された光は、前述したように、フィルタカセット２２の励起フィルタ５５、ダイクロイックミラー５６を経由して励起光になって標本Ｓを照射する。図８に示すステージ１３を駆動するためのシステム及び図９の回転式フィルタカセットシステムは、図１０から分かるように、下側シャーシ３７の前部に組み付けられる。
【００３２】
上側シャーシ３６の上端部には、幅方向中央部分に、透過照明系１０のユニット６０が搭載される。図１１は透過照明ユニット６０の斜視図であり、図１２は透過照明ユニット６０の平面図である。透過照明ユニット６０は、水平方向に延びる透過照明ハウジング６１を有し、透過照明ハウジング６１にはハロゲンランプ１５、このハロゲンランプ１５の前方に隣接して配置された熱吸収フィルタ（図面には現れていない）が内蔵されている。透過照明ハウジング６１の前端部の上部には、ハウジング６１を横断する方向に延びるピボット軸６２が回転自在に設けられ、このピボット軸６２には、透過照明用光学ユニット６４が取付られている。透過照明光学ユニット６４は、ピボット軸６２を中心に上方に回動することができる。透過照明光学ユニット６４は、傾斜ミラー１７、コンデンサレンズ６６等を含む。透過照明光学ユニット６４は、また、横方向にスライド可能なプレート６７を有し、ユーザが手動でプレート６７を操作することにより、位相観察と明視野観察の各観察用のユニットが選択可能である。
【００３３】
ピボット軸６２の一端にはリンク６８を介してダンパ６９が取り付けられ、このダンパ６９の基端は透過照明ハウジング６１の後端に回動可能に取り付けられている。ユーザが指で透過照明光学ユニット６４を上方に持ち上げる力を加えるとダンパ６８によって静かに上方に向けて回動動作を行い、ほぼ４５度傾斜した跳ね上げ位置（図１３、図１４）を取ることができる。逆に、図１３、図１４に図示の跳ね上げ位置の透過照明光学ユニット６４を下方に押し下げる力を加えるとダンパ６９によって静かに下方に向けて回動動作を行い、図１１及びこれに対応する図１の正規位置に戻る。
【００３４】
このように、透過照明系１０の光源１５を横向きに配置したことにより蛍光顕微鏡１の高さ寸法を大幅に小さくすることが可能になるだけでなく、跳ね上げよる透過照明光学ユニット６４の退避動作を採用することが可能になる。そして、透過照明光学ユニット６４を跳ね上げることで正規位置から上方に退却させることで、コンパクトな蛍光顕微鏡１のコンパクト性を害することなく、また、外観上の見栄えも良い状態を維持しつつ透過照明光学ユニット６４をステージ１３や対物レンズ２８から遠ざけることができる。
【００３５】
図１１、図１３に戻って、水平方向に延びる透過照明ハウジング６１の前端部には、リンク６８に臨んで近接スイッチ７０が固設されている。近接スイッチ７０は透過照明光学ユニット６４の跳ね上がり位置と正規位置とを検出するセンサとして機能し、透過照明光学ユニット６４の跳ね上げ位置（図１３）を検出すると、この近接スイッチ７０の出力信号によりハロゲンランプ１５を強制的に消灯し、又は、最小光量まで下げる制御が行われる。
【００３６】
透過照明光学ユニット６４が正規位置から約４５度上方に回動した跳ね上げ位置（図１４）をとることにより、透過照明光学ユニット６４をステージ１３や対物レンズ２８から遠ざけることができる。ユーザは、透過照明光学ユニット６４を跳ね上げ位置に変位させると共に、後に詳しく説明する標本カバー３を下方に変位させてステージ１３を露出させることにより、標本Ｓの出し入れ、具体的には、標本Ｓを入れたシャーレやプレパラートを出し入れする作業を楽に行うことができる。ステージ１３は、対物レンズ２８が下方から臨む光通過開口を備えたリングプレート１３ａ（例えば図１０参照）が脱着可能になっているが、標本Ｓを収容したシャーレの位置決めのために、シャーレと一緒にリングプレート１３ａをステージ１３に載置するとき等では、透過照明光学ユニット６４を跳ね上げ位置に位置させておくのが都合がよい。
【００３７】
また、透過照明光学ユニット６４を跳ね上げ位置に変位させて透過照明光学ユニット６４を対物レンズ２８から遠ざけることで、対物レンズ２８を交換したり、ステージ１３回りを掃除するときの作業を楽に行うことができる。また、透過照明光学ユニット６４を正規位置から跳ね上げ位置に変位させるときに、これに連動して、透過照明用光源（ハロゲンランプ）１５を強制的に消灯させたり、最小光量まで下げることにより、ユーザがハロゲンランプ１５からの光を直接受けてまぶしい思いをしてしまうのを防止することができる。
【００３８】
上記の例では、透過照明光学ユニット６４を上方に回動させるようにしたが、透過照明光学ユニット６４を本体ケース２の前面に沿ってスライドさせることにより正規位置から退避させるようにしてもよい。図１５は透過照明ユニット６４を正規位置から上方に直線的に退避動作させる例を示し、図１６は、透過照明ユニット６４を正規位置から横方向に直線的に退避動作させる例を示す。
【００３９】
ハロゲンランプ１５やこれに関連した熱吸収フィルタを収容した透過照明ハウジング６１の側方、つまり上側シャーシ３６の側部には、図１７、図１８から理解できるように、前述したハロゲンランプ用電源ユニット４２、システム電源用ユニット４１が配設され、また、この上側シャーシ３６には、透過照明ハウジング６１の下方に電源基板７１、ステージ１３のＺ軸方向の駆動モータ用の駆動回路７２、水銀ランプ電源ユニット４０が配設される。他方、下側シャーシ３７の側部には、図１９から理解できるように、メイン制御基板（コントローラ）７３が配設され、メイン制御基板７３は上側シャーシ３６まで侵入している。
【００４０】
図２０は、落射照明系１１の空冷構造の概要を示すものであり、この空冷構造は透過照明系１０においても実質的に同じであると理解されたい。
【００４１】
落射照明系１１の光源である水銀ランプ２０と、その前方に配置された複数枚の熱吸収フィルタ７５は、断熱材であるプラスチック材料から作られた落射照明ハウジング７６内に収容されている。落射照明ハウジング７６は熱吸収フィルタ７５から後方に向けて延びる空冷通路７７を有し、この空冷通路７７の後端は最も下に位置する電動ファンユニット３８に向けて開放されている。
【００４２】
水銀ランプ２０の周囲には、好ましくは、水銀ランプ２０に隣接して横断面矩形の仕切り壁７８が設けられ、この仕切り壁７８によって、水銀ランプ２０の回りに第２の空冷通路７９が形成されている。落射照明ハウジング７６は、熱吸収フィルタ７５の下方領域にエア導入口８０を備えており、エアは、エア導入口８０を通じて落射照明ハウジング７６内に導入され、落射照明ハウジング７６に流入したエアは、熱吸収フィルタ７５を冷却した後にメイン空冷通路７７を通って電動ファンユニット３８により外部に排出される。落射照明ハウジング７６内に導入されたエアは、また、第２の空冷通路７９を通って水銀ランプ２０を空冷した後にメイン空冷通路７７を通って電動ファンユニット３８により外部に排出される。
【００４３】
熱飽和により熱吸収能力が消失する熱吸収フィルタ７５及び高熱になる水銀ランプ２０の回りを断熱ハウジング７６で囲んで、熱吸収フィルタ７５及び水銀ランプ２０の熱がシャーシ３５内に流出するのを防止しつつ、断熱ハウジング７６内の熱を、この断熱ハウジング７６内に導入したエアと一緒に電動ファンユニット３８によって強制的に外部に排出するようにしてあるため、水銀ランプ２０等の熱が、熱飽和した熱吸収フィルタ７５を通過して水銀ランプ２０が発射する光と一緒に標本Ｓまで運ばれるのを防止することができ、また、シャーシ３５内に流出するのを抑えることができる。
【００４４】
上述した透過照明系１０、落射照明系１１の光源や熱吸収フィルタの冷却構造に関し、ヒートシンクを使うようにしてもよい。例えば、透過照明系１０又は落射照明系１１の熱吸収フィルタにヒートシンクを付設して、これにより熱吸収フィルタ７５の熱飽和を防止するようにしてもよい。
【００４５】
実施例の蛍光顕微鏡１は、本体ケース２によって熱源である水銀ランプ２０や各種の電源ユニットが囲まれており、内部部品の熱による例えばシャーシ３５等の熱膨張によって微妙に焦点が変化したり、また、標本Ｓの生物を弱らせたり死滅させたりする虞がある。これに対処するために、実施例の蛍光顕微鏡１は、シャーシ３５の後端面に電動ファンユニット３８を設け、また、本体ケース２の側面に、図１などから理解できるように、通気口８１を設け、これにより、本体ケース２内部の昇温したエアを、通気口８１を通じて流入する外気によって換気すると共に、光源である水銀ランプ２０、ハロゲンランプ１５及びこれに関連した熱吸収フィルタ７５を断熱ハウジング７６、６１で囲んで、水銀ランプ２０などが発する熱がシャーシ３５内に流出するのを防止しつつ電動ファンユニット３８によって排熱することにより、水銀ランプ２０、ハロゲンランプ１５を空冷することができる。
【００４６】
また、水銀ランプ２０のように高温になる光源に関しては、その回りを囲む仕切り壁７８によって、水銀ランプ２０の回りに通路断面積が比較的小さな第２の空冷通路７９を形成してあるため、水銀ランプ２０の回りを比較的速い流速でエアが通過することになり、これにより水銀ランプ２０の発する大量の熱を外部に排出することができる。
【００４７】
また、水銀ランプ２０などに関連した熱吸収フィルタ７５も同様に空冷するようにしてあるため、熱吸収フィルタ７５の熱吸収能力が熱によって消失又は低下するのを防止することができ、熱吸収フィルタ７５の熱飽和により、水銀ランプ２０などの光源が発する光と一緒に熱が標本Ｓまで伝搬されるのを防止することができる。
【００４８】
実施例では、３つの電動ファンユニット３８を本体ケース２の後端面に取り付けてあるが、この３つの電動ファンユニット３８は、図２１に示すように、複数のゲル又はゴムなどの制振部材８５を介して本体ケース２に搭載されている。従来は、蛍光顕微鏡１のように振動を極端に嫌う機器には、振動発生源となる電動ファンユニットを設けることは避けるべきこととされていたが、制振部材８５を介在させることにより、電動ファンユニット３８による振動がシャーシ３５に伝達されるのを防止することができる。電動ファンユニット３８は、例えば３０００rpmのように比較的低回転の形式のユニットを採用するのが好ましい。
【００４９】
制振部材８５に関し、電動ファンユニット３８の上下方向、横方向、前後方向の各成分の振動を吸収するために、電動ファンユニット３８の上面と下面とに第１の制振部材３８ａ（図１７）を設け、また、電動ファンユニット３８の両側面に第２の制振部材３８ｂ（図１７）を設け、更に、電動ファンユニット３８の前面及び／又は後面とに第３の制振部材３８ｃ（図２１）を設けるのが好ましい。すなわち、電動ファンユニット３８と、これに付随したファンカバー３８ａとの間及びシャーシ３７との間に制振部材８５を設けられている。
【００５０】
実施例の蛍光顕微鏡１の背面に搭載された上下３つの電動ファンユニット３８を上から順に最上位ファン３８Ｔ、中位ファン３８Ｍ、最下位ファン３８Ｂと呼ぶと、最上位ファン３８Ｔは、図２２に矢印で示すエアの流れから理解できるように、透過照明用のハロゲンランプ１５及びこれに関連した熱吸収フィルタの空冷及びその側方に位置するハロゲン電源ユニット４２など上側シャーシ３６の上部の空冷に寄与する。
【００５１】
中位ファン３８Ｍは、上側シャーシ３６を下方から見た底面図である図２３に矢印で示すエアの流れから理解できるように、水銀ランプ用電源ユニット４０、システム用電源ユニット４１などが配設された上側シャーシ３６の下部の空冷に寄与する。
【００５２】
最下位ファン３８Ｂは、図２０に矢印で示すエアの流れから理解できるように、下側シャーシ３７に配設した水銀ランプ２０及びこれに関連した熱吸収フィルタ７５の空冷に寄与する。
【００５３】
変形例として、最上位ファン３８Ｔと中位ファン３８Ｍとを一つの共通ファンで構成し、この共通ファンで、上側シャーシ３６の上部及び下部の強制空冷を行うようにしてもよい。
【００５４】
また、メイン制御基板（コントローラ）７３などがシャーシ３５によって包囲されているため耐ノイズ性を確保することができる。
【００５５】
前述した標本カバー３は、その下の下部カバー４の外表面に沿って下方に変位することができる。標本カバー３は、一例として、その幅Ｗ１（図２４）が下部カバー４の幅Ｗ２よりも若干大きくてもよい。すなわち、標本カバー３は、ステージ１３の両側方及び前方を囲む横断面コ字状の形状を有し且つ下部カバー４と相似形の形状を有し、下部カバー４よりも若干大きな横断面形状を有していてもよい。変形例として、下部カバー４が、前方に向かって凸の円弧状に突出した横断面形状を有するのであれば、標本カバー３は、下部カバー４と相似形の且つ下部カバー４よりも若干大きな横断面形状に形作ってもよい。
【００５６】
標本カバー３は下部カバー４の前面及び両側面に沿って下方に変位可能であり（図２６）、標本カバー３が下方に変位した状態ではステージ１３の前方及び両側方が開放された状態となる。これによりステージ１３の上に標本Ｓを設置したり、ステージ１３上の標本Ｓを取り除くことができる。また、その際に、必要であれば、透過照明用光学ユニット６４を図１４に図示の跳ね上げ位置まで回動させるようにしてもよい。
【００５７】
標本カバー３及び下部カバー４に関し、好ましくは、図２４等から分かるように、手前側の幅を奥側の幅よりも小さな平面視で台形の横断面を備えているのがよい。図示の例では、標本カバー３及び下部カバー４は、手前側の幅が約２２０mmであり、奥側の幅が約２８０mmの平面視で台形の横断面を備えている。すなわち、標本カバー３及び下部カバー４は、前方に向けて先細りのテーパ側面を備えている。このことにより、以下に説明する平行リンク構造により、標本カバー３を一旦前方且つ下方に移動させ、次いで、下部カバー４の前で、この下部カバー４の外表面に沿って下方移動させることで、標本カバー３を下部カバー４に干渉させることなく、下部カバー４の前面に沿って標本カバー３を下降させることができる。これにより、標本カバー３と下部カバー４とが同じ外形形状であることから外観上の見栄えを向上することができる。
【００５８】
標本カバー３は、図２７に示すように、その両側部の後端に設けられた第１ブラケット９０と、本体ケース２の両側部の前端に設けられた第２ブラケット９１との間に設けられた互いに平行な上下のリンク９２、９３によって本体ケース２に連結されている。この平行リンク９２、９３を採用することにより、標本カバー３は、平行移動しながら、下部カバー４の前面及び両側面に沿って上下に移動することができる。
【００５９】
図２７、図２８を参照して、第１ブラケット９０は、後端縁に沿って延びる金属片９５を有し、第２ブラケット９１には、標本カバー３を閉じたときに金属片９５と対面する位置に永久磁石９６が設けられている。これにより、標本カバー３を上方位置に変位させてステージ１３の回りを閉じたときに、金属片９５が永久磁石９６によって吸着され、標本カバー３の閉じ位置を永久磁石９６の磁力によって保持することができる。
【００６０】
上記の図２７を参照して説明した標本カバー３は手動で開閉操作されるが、図２８に示すように、本体ケース２側の第２ブラケット９１に電動モータ９８を設け、この電動モータ９８を例えば上側リンク９２とをギヤ９９によって連結して、電動モータ９８を正転又は逆転させることにより、電動で標本カバー３を開け閉めさせることができる。
【００６１】
標本カバー３は上方位置を取ったときに、標本カバー３の上方域が庇プレート１００によって覆われた状態となり、これにより、ステージ１３の回りは暗室状態となる。水平に延びる庇プレート１００は、実施例では透過照明用光学ユニット６４の下端に固設されているが、変形例として、本体ケース２に脱着可能に取り付けるようにしてもよい。
【００６２】
庇プレート１００を脱着可能にすることにより、標本Ｓの種類によっては、厳格な遮光が必要でない場合があることから、このような場合には庇プレート１００を取り除いた状態で標本カバー３だけを上方位置つまり閉じ位置に位置させて半暗室状態で標本Ｓの画像を取り込むようにしてもよい。
【００６３】
叙上のように、標本カバー３を下部カバー４の表面に沿って上下に移動させるようにしてあるため、標本カバー３を開けてステージ１３の回りを開放したときであっても、標本カバー３は下部カバー４と前後に重なり合うため、開放状態の標本カバー３がユーザの作業空間を狭めてしまうことは無い。
【００６４】
上記の図２６に示す実施例の変形例として、標本カバー３を上方に変位させてステージ１３の回りを開放するようにしてもよい。また、図２９に示すように、標本カバー３を下方に円弧動作させることによりステージ１３の回りを開放するようにしてもよい。
【００６５】
図３０は、下部カバー４の上方域を全体的に覆う蓋１０２を設け、この蓋１０２の天板１０２ａの後端縁を本体ケース２に対してヒンジ止めすることにより、蓋１０２を開け閉めするようにしてもよい。
【００６６】
また、図３１に示すように、天板１０２を一体化した標本カバー３をステージ１３の前方から抜き差しするようにしてもよい。すなわち、天板１０２付き標本カバー３を前方から本体ケース２に脱着可能に設け、標本Ｓを出し入れするときには、標本カバー３を本体ケース２から引き抜き、これによりステージ１３の回りを開放するようにしてもよい。
【００６７】
また、図３２に示すように、標本カバー３を左右に、左分割カバー３Ｌと、右分割カバー３Ｒとに分割し、ステージ１３の回りを開放するときには、左分割カバー３Ｌを一旦左方向に変位させ、右分割カバー３Ｒを一旦右方向に変位させ、次いで、本体ケース２の側面に沿って、後方に変位させるようにしてもよい。
【００６８】
任意であるが、図３３、図３４に示すように、ステージ１３の下方且つステージ１３に隣接して、ステージ１３よりも大きな矩形の水平トレイ１０５を設け、この水平トレイ１０５の両側縁を、前後方向に延びる水平ガイドレール１０６にスライド可能に嵌合させて、水平トレイ１０５を前方に抜き去ることができるようにしてもよい。この水平トレイ１０５には、図３３、図３４から分かるように、対物レンズ２８との干渉を避けるために、対物レンズ２８と干渉する側に前後方向に延びるスリット１０５ａ（対物レンズ２８の直径と実施的に同じ幅）を設けるのがよい。これにより対物レンズ２８よりも深部まで水平トレイ１０５を配置させることができる。
【００６９】
ステージ１３の下方に脱着可能な水平トレイ１０５を設けることにより、ステージ１３の上に標本Ｓを載置する際に、ステージ１３の光透過用開口を通じて例えば標本培養液や標本Ｓがステージ１３の真下に落下して、ステージ１３の下方領域の部材、例えば対物レンズ２８を汚染してしまうのを防止することができる。水平トレイ１０５を設けることにより、培養液などが落下したときには、水平トレイ１０５で受け止められるため、この水平トレイ１０５を引き出すだけで標本Ｓを取り除くことができる。これにより、対物レンズ２８の汚染を防止することができ、これにより顕微鏡１のメンテナンス性を向上することができる。
【００７０】
叙上の説明から分かるように、実施例の蛍光顕微鏡１は、透過照明系１０の光源１５を横向きに配置し、透過照明系１０に傾斜ミラー１７を設けて透過照明光１６を途中で下方に向けて屈折させるようにしたことから、蛍光顕微鏡１の高さ寸法を大幅に小さくすることができる。そして、本体ケース２の内部に、撮像系１２、透過及び落射照明系１０、１１の他に、これに付随した全ての電源ユニット４０、４１、４２、電源基板７１、コントローラ７３などの基板などが高密度で搭載されている。このような蛍光顕微鏡のレイアウトは、これまでに無かったことである。そして、実施例の蛍光顕微鏡１は、前述した落射照明系１１と撮像系１２のＶ字配置や、共に光源１５、２０が横向けに配置された透過照明系１０と落射照明系１１との間の隙間に電源ユニット４０〜４２を配置する等、各所に工夫を凝らすことにより、全体寸法、特に高さ寸法を小さくする努力がなされている。
【００７１】
例えば、電源ユニット４０〜４２を撮像系１２の下に配置した場合には、蛍光顕微鏡１の高さ寸法が大きくなるだけでなく、電源ユニット４０〜４２の熱が上方に立ち上ることよる熱害の問題が更に加わることになる。また、電源ユニット４０〜４２を撮像系１２、透過照明系１０、落射照明系１１の側方に配置した場合には、蛍光顕微鏡１の幅寸法が大きくなってしまう。
【００７２】
これに対して、透過照明系１０と落射照明系１１との間の隙間に電源ユニット４０〜４２を配置した実施例の蛍光顕微鏡１では、前述したように、蛍光顕微鏡１の幅寸法及び高さ寸法を小さくできるという利点の他に、電源ユニット４０〜４２の熱は上方に立ち上るため、その下方に位置する最も熱対策が必要な落射照明系１１に対する、電源ユニット４０〜４２の熱的影響を最小限に抑えることができる。
【００７３】
また、シャーシ３５を上下に分割して、上側シャーシ３６に電源ユニット４０〜４２に搭載し、他方、下側シャーシ３７に、空冷対策を施した断熱ハウジング７６で包囲した落射照明系１１を搭載するようにしてあるため、下側シャーシ３７の熱膨張を最小限に抑えることができる。このことに加えて、下側シャーシ３７に、対物レンズ２８及びステージ１３のユニットを組み付けるようにしてあるため、長時間に亘る蛍光観察での対物レンズ２８の焦点ボケの発生を防止することができる。
【００７４】
実施例の蛍光顕微鏡１は、前述したように、横方向に向けた光源１５を備えた透過照明系１０を採用し、また、落射照明系１１と撮像系１２とを平面視でＶ字配置し、この３つの基本的な構成要素を包囲するのに必要最小限の体積を備えた本体ケース２は、当業者であれば直ちに分かるように、従来とは比較にならないコンパクト性を備えている。その上、このように、特に高さ寸法が大幅に小さな本体ケース２の内部に、撮像系１２、透過及び落射照明系１０、１１だけでなく、熱源となる電源ユニット４０〜４２、電源基板７１などを高密度で搭載してあることは、当業者であれば驚くことであろう。このことは高度な熱対策を施さない限り、実際上は不可能なことである。この熱対策に対して、これまでの蛍光顕微鏡では避けるべきとして考えられていた電動ファン３８を敢えて採用して強制的な換気を行うようにしてある。また、大量の熱を発生するハロゲンランプ１５や水銀ランプ２０については、これを断熱ハウジング６１、７６で囲み、ランプ１５、２０が発する熱を閉じ込め、断熱ハウジング６１、７６内の大量の熱を電動ファン３８によって外部に排出するようにしてある。同様に、ランプ１５、２０に関連した熱吸収フィルタ７５についても、これを断熱ハウジング６１、７６で包囲し、断熱ハウジング６１、７６に関連した電動ファン３８により生成されるエアの流れによって空冷するようにしてあるため、熱吸収フィルタ７５の熱飽和を防止することができる。
【００７５】
また、本体ケース２の内部を上下に３つの領域に分けて考え、最下層に位置する落射照明系１１及び撮像系１２に対して最下位電動ファン３８Ｂを設け、中間層に位置する電源ユニット４０〜４２に対して中位電動ファン３８Ｍを設け、最上層に位置する透過照明系１０に対して最上位電動ファン３９Ｔを設けて、各層で強制的な換気を行うようにしてあるため、各層間の熱的影響を最小限に抑えることができる。
【図面の簡単な説明】
【００７６】
【図１】実施例の倒立型蛍光顕微鏡の外観図であり、標本カバーを閉じた状態を示す斜視図である。
【図２】実施例の蛍光顕微鏡の使用形態を説明するための図である。
【図３】実施例の倒立型蛍光顕微鏡に含まれる照明系、撮像系のレイアウトを説明するための斜視図である。
【図４】実施例の倒立型蛍光顕微鏡に含まれる回転型フィルタカセット変更機構を説明するための平面図である。
【図５】実施例の倒立型蛍光顕微鏡が採用した落射照明系と撮像系との平面視Ｖ字配置に伴う作用効果を説明するための図である。
【図６】実施例の蛍光顕微鏡の骨格を構成する２分割型シャーシの分解斜視図である。
【図７】シャーシに搭載される透過照明系、落射照明系、撮像系、各種電源ユニットの配置を説明するための図である。
【図８】シャーシに搭載される電源ユニットの具体的な配置を説明するための図である。
【図９】図４で説明した回転型フィルタカセット変更機構の具体的な構造を示す斜視図である。
【図１０】シャーシに回転型フィルタカセット変更機構を組み込んだ状態を示す斜視図である。
【図１１】透過照明系に含まれる断熱ハウジング及び光学ユニットの跳ね上げ機構を組み込んだ透過照明ユニットの斜視図であり、光学ユニットが正規位置にある状態の図である。
【図１２】図１１の透過照明ユニットの平面図である。
【図１３】図１１に対応した斜視図であり、光学ユニットが跳ね上がった状態を示す図である。
【図１４】実施例の蛍光顕微鏡の外観を示す図１に対応した斜視図であり、透過照明光学ユニットが跳ね上がった状態を示す図である。
【図１５】図１１等に開示の跳ね上げ式透過照明光学ユニットの変形例を説明するための図である。
【図１６】図１１等に開示の跳ね上げ式透過照明光学ユニットの他の変形例を説明するための図である。
【図１７】上側シャーシに組み込まれる各種の電源ユニットの具体的な配置を説明するための図である。
【図１８】上側シャーシに組み込まれる各種の電源ユニットや各種基板の具体的な配置を説明するための図である。
【図１９】シャーシにコントローラを組み込んだ状態を示す図である。
【図２０】落射照明系に含まれる光源及びこれに隣接した熱吸収フィルタを強制的に空冷するための構造を説明するための図である。
【図２１】シャーシの後端面に組み付けられる電動ファンユニット及びこれに関連した制振部材を説明するための図である。
【図２２】上側シャーシの上部の強制空冷を説明するための平面図である。
【図２３】上側シャーシの下部の強制空冷を説明するための底面図である。
【図２４】実施例の蛍光顕微鏡に含まれる標本カバーを説明するための図である。
【図２５】実施例の蛍光顕微鏡の図２４に対応した側面図である。
【図２６】実施例の蛍光顕微鏡の標本カバーを下方に変位させてステージ回りを開放した状態を説明するための図である。
【図２７】標本カバーを下方に変位させるための機構を説明するための図である。
【図２８】図２７に関連して標本カバーを下方に変位させる機構に電動モータを組み付けることにより標本カバーの開け閉めを自動化できることを説明するための図である。
【図２９】標本カバーを下方に変位させる方法の変形例を説明するための図である。
【図３０】標本カバーに代えてステージの上方領域を開閉蓋で覆う例を説明するための図である。
【図３１】標本カバーを前方に変位させてステージ回りを開放させる例を説明するための図である。
【図３２】横方向に２分割した標本カバーを一旦側方に変位させ、次いで、これを後方に変位させることによりステージ回りを開放させる例を説明するための図である。
【図３３】ステージの下方領域の汚染を防止するためにステージの下方に前後に抜き差し可能なトレイを配置した例を示す図であり、トレイをステージの下方に設置した状態を示す斜視図である。
【図３４】図３３に関連して、ステージの下方領域の汚染を防止するためにステージの下方に前後に抜き差し可能なトレイを配置した例を示す図であり、トレイをステージの下方から前方に引き出した状態を示す斜視図である。
【符号の説明】
【００７７】
Ｓ    標本
１    蛍光顕微鏡
２    本体ケース
３    標本カバー
１０    透過照明系
１１    落射照明系
１２    撮像系
１３    ステージ
１５    ハロゲンランプ（透過照明用ランプ）
１６    透過照明光
１７    傾斜ミラー
２８    対物レンズ
６０    透過照明ユニット
６１    透過照明ハウジング
６２    ピボット軸
６４    透過照明用光学ユニット
６６    コンデンサレンズ
６７    フィルタ選択プレート
６８    リンク
６９    ダンパ
【図１】
2006162764.tif 000003
【図２】
2006162764.tif 000004
【図３】
2006162764.tif 000005
【図４】
2006162764.tif 000006
【図５】
2006162764.tif 000007
【図６】
2006162764.tif 000008
【図７】
2006162764.tif 000009
【図８】
2006162764.tif 000010
【図９】
2006162764.tif 000011
【図１０】
2006162764.tif 000012
【図１１】
2006162764.tif 000013
【図１２】
2006162764.tif 000014
【図１３】
2006162764.tif 000015
【図１４】
2006162764.tif 000016
【図１５】
2006162764.tif 000017
【図１６】
2006162764.tif 000018
【図１７】
2006162764.tif 000019
【図１８】
2006162764.tif 000020
【図１９】
2006162764.tif 000021
【図２０】
2006162764.tif 000022
【図２１】
2006162764.tif 000023
【図２２】
2006162764.tif 000024
【図２３】
2006162764.tif 000025
【図２４】
2006162764.tif 000026
【図２５】
2006162764.tif 000027
【図２６】
2006162764.tif 000028
【図２７】
2006162764.tif 000029
【図２８】
2006162764.tif 000030
【図２９】
2006162764.tif 000031
【図３０】
2006162764.tif 000032
【図３１】
2006162764.tif 000033
【図３２】
2006162764.tif 000034
【図３３】
2006162764.tif 000035
【図３４】
2006162764.tif 000036